(57)【特許請求の範囲】
【請求項１】
一対の磁気シールド層とその間に形成された再生素子とを備える再生用ヘッドと、前記再生用ヘッドの上に形成された、垂直磁気記録用の主磁極を備える記録用ヘッドとを備えた磁気ヘッドにおいて、
前記主磁極は前記再生素子に対してトレーリング側に配置され、
記録媒体対向面からみたときに、前記主磁極を挟んでトレーリング方向と直交する方向に前記主磁極とは離間されて配置された第一及び第二の補助磁極と、前記主磁極に対してトレーリング側に前記主磁極とは離間されて配置された第三の補助磁極とを有し、
前記第一、第二及び第三の補助磁極と前記主磁極は、記録媒体対向面から素子高さ方向に離れた位置で接合された磁気回路を構成し、
前記第一、第二及び第三の補助磁極の記録媒体対向面におけるそれぞれの面積は、前記主磁極の記録媒体対向面における面積より広く、
前記主磁極及び補助磁極により形成される前記磁気回路に磁気的に結合したコイルを有することを特徴とする磁気ヘッド。
【請求項２】
請求項１記載の磁気ヘッドにおいて、記録媒体対向面からみたとき、前記再生素子の中心と前記主磁極の中心とを結ぶ直線をトレーリング方向へ射影したときの長さが５μｍ以下であることを特徴とする磁気ヘッド。
【請求項３】
請求項１記載の磁気ヘッドにおいて、前記第三の補助磁極は、当該第三の補助磁極の中心と前記主磁極の中心とを結ぶ直線が、トレーリング方向に対し略平行になるよう配置されたことを特徴とする磁気ヘッド。
【請求項４】
請求項１記載の磁気ヘッドにおいて、前記第三の補助磁極の記録媒体対向面における面積は、前記第一の補助磁極の記録媒体対向面における面積より大きく、かつ前記第二の補助磁極の記録媒体対向面における面積よりも大きいことを特徴とする磁気ヘッド。
【請求項５】
磁気ディスクと、前記磁気ディスクを駆動するディスク駆動手段と、再生用ヘッドと記録用ヘッドを備える磁気ヘッドと、前記磁気ヘッドを前記磁気ディスクに対して位置決めするための手段とを含む磁気ディスク装置において、
前記磁気ディスクは記録層と軟磁性層とを備える垂直磁気記録用の磁気ディスクであり、前記磁気ヘッドとして請求項１〜４のいずれか１項記載の磁気ヘッドを備えることを特徴とする磁気ディスク装置。
【発明の詳細な説明】
【０００１】
【発明の属する技術分野】
本発明は、磁気ディスク装置等の記録・再生に用いられる薄膜磁気ヘッド、特に垂直磁気記録ヘッド、及びこれらを使用した磁気ディスク装置に関する。
【０００２】
【従来の技術】
現在、コンピュータ等の情報機器において情報の外部記憶装置として用いられている磁気ディスク装置には、記録を誘導型薄膜ヘッドで行い再生を磁気抵抗効果型ヘッドで行う記録再生分離型ヘッドが主に用いられている。記録ヘッドからの漏洩磁束で媒体に記録パターンを形成する記録方式としては、面内（長手）記録方式と垂直記録方式の２種類が代表的である。今後、記録密度の高密度化を達成するために、従来の面内（長手）記録方式に代わる磁気記録方式として、垂直磁気記録方式が有望視されている。
【０００３】
面内（長手）記録方式では、記録ヘッドのギャップからの漏洩磁束によって媒体上の磁性層が媒体進行方向（トレーリング方向）と同方向あるいは逆方向に磁化されることにより、媒体上に記録パターンが形成される。一方、磁気ディスク装置等に考案されている最近の垂直磁気記録方式においては、特開平４−５７２０５号公報に開示されているように、記録ヘッドは主磁極と補助磁極から構成されており、記録媒体は主として２層記録媒体でその構成は記録ヘッドに近い側に形成された記録層（垂直磁化層）とその下地の軟磁性層からなり、記録ヘッドの主磁極と軟磁性下地層と補助磁極とが磁気的に結合され閉磁路を形成することが可能となっている。この方式によれば、記録ヘッドの主磁極と媒体の軟磁性下地層との距離が、主磁極と補助磁極との間隔よりも十分狭ければ、主磁極から漏洩した磁束は記録層を膜厚方向即ち媒体面に対し垂直に磁化して軟磁性下地層を経由して補助磁極に帰ってくる。このため、媒体上の記録パターンは媒体の膜厚方向に形成されることとなり、これが垂直磁気記録の名称のもととなっている。
なお、垂直磁気記録方式においても面内（長手）磁気記録方式と同様に、再生ヘッドとして、磁気抵抗効果素子、特に巨大磁気抵抗効果を利用したＧＭＲヘッドまたはトンネル磁気抵抗効果を利用したＴＭＲヘッド等が用いられている。
【０００４】
従来用いられている記録再生分離型の垂直磁気記録ヘッドの構造の概略を図１に示した。図１において、垂直磁気記録用の記録ヘッドは、磁気抵抗効果素子を用いた再生ヘッドの上に積層された構造となっている。図１で垂直磁気記録用薄膜ヘッドは、主磁極１、補助磁極２、導体コイル３、導体コイル３と主磁極１並びに補助磁極２を絶縁する絶縁膜４から成る。垂直磁気記録用ヘッドでは、主磁極の記録トラック幅を狭くし且つ主磁極から漏洩する磁束密度を高くする目的で、メッキ法などによって主磁極を形成した後に、主磁極をＦＩＢなどでトリミングする場合もある。このため、基板上に再生ヘッドを形成した後、補助磁極、主磁極の順に形成される場合が多い。垂直磁気記録用の記録ヘッドと面内磁気記録用の記録ヘッドとの大きな相違点は、面内記録用のヘッドでは記録媒体対向面からみたとき、主磁極と補助磁極との間隔が非常に狭い（例えば０．２μｍ）のに対し、垂直記録用ヘッドではこれが５〜１０μｍと離れていることである。
【０００５】
図１において、再生ヘッドは外部磁界に依存して電気抵抗が変化する磁気抵抗効果膜５、磁区制御膜６及び電極７からなる磁気抵抗効果素子と、不要な磁界を遮断する上下のシールド層２，８、並びに図中には示されていないが磁気抵抗効果素子とシールド間を絶縁する絶縁膜を備える。図１の記録再生分離型ヘッドでは、記録ヘッドの補助磁極２が再生ヘッドの上部シールドを兼ねている。記録ヘッドの補助磁極と再生ヘッドの上部シールドが別個に設けられている場合、これらの磁性体材料からなる層の間には磁気的分離膜が存在する。
【０００６】
磁気ディスク装置では、記録媒体を回転させ、上記のような記録再生分離型ヘッドが搭載されたスライダが媒体面に対し一定の間隔で浮上しながら信号の記録再生を行っている。このとき、信号が記録・再生されるトラックは同心円構造をしている。媒体上のトラックに信号（磁化パターン）を正確に記録・再生するために位置決め制御が必要であり、現在ではセクタサーボ方式を用いた位置決め制御が主流となっている。セクタサーボ方式では、円周状のトラックを複数のセクタに分割し、それぞれのセクタの先頭にサーボ領域を設け、その後に信号が記録されるデータ領域が設けられている。磁気ヘッドは、記録・再生を行う際、セクタ領域に設けられたサーボパターンを利用してトラック上に位置決めを行っている。また、現在の磁気ディスク装置では、スライダを先端に搭載したサスペンションの根本が固定されており、サスペンションはその固定点を軸に動く構造になっている。このため、媒体の内周および外周近傍部にあるトラック上の信号を記録・再生する際に、スライダはトラックに対しヨー角を持つ。
【０００７】
【発明が解決しようとする課題】
従来の垂直磁気記録用薄膜単磁極ヘッドは、面内記録用ヘッドと比較して、媒体対向面からみたときに主磁極と補助磁極との間隔が５〜１０μｍ離れて形成され、また基板上に再生ヘッド、補助磁極、主磁極の順に形成されるため、主磁極と再生ヘッドとの間隔は１０μｍ以上となる。セクタサーボ方式では、サーボ領域に記録されているサーボパターンを再生ヘッドで検出してトラック上に位置決めを行ってから、トラック上のデータ領域に信号を記録する。上記のように主磁極と再生ヘッドとの間隔が広くなると、サーボ領域のサーボパターンを検出した後に、データ領域に記録ヘッドが到達するまでに時間がかかる。言いかえると、サーボ領域とデータ領域の間に存在する、信号記録に使用できない領域の長さが増加することになる。このため、従来の垂直磁気記録用薄膜単磁極ヘッドを用いた垂直記録方式では、面内（長手）記録方式と比較して、１トラックあたりデータ領域が占める割合、即ちフォーマット効率が低下する。
【０００８】
トラック上に信号を記録する際、トラック上にある再生ヘッドでサーボパターンを検出した後に記録ヘッドがトラック上に来るように、スライダを移動させなければならない。媒体の内周および外周近傍部のトラックにおいては、ヨー角がついているために、スライダの移動量が大きくなり、位置決め制御（サーボ）が難しい。主磁極と再生ヘッドとの間隔が広くなると、このスライダの移動量がさらに増大することになり、サーボ系の設計が難しくなる。このため、従来の垂直磁気記録用薄膜単磁極ヘッドを用いた垂直記録方式では、面内（長手）記録方式と比較してサーボが難しくなる。
【０００９】
また、従来の垂直磁気記録用薄膜単磁極ヘッドを用いた垂直記録方式では、補助磁極が主磁極と同じ記録トラック上になるように形成されるため、記録後消去に代表されるように主磁極から出て媒体の軟磁性下地層を経由して補助磁極にリターンしてくる磁束によって媒体上の記録パターンが影響を受けやすい。更に、補助磁極を形成した後に主磁極を積層するため、プロセス工程数が多くなり、記録ヘッドの作成に時間がかかる。
【００１０】
なお、IEEE Trans. Magn., vol.MAG-23, no.5, pp.2070-2072 (1987)には、主磁極の周りに複数の補助磁極を配置したバルクヘッドが記載されている。しかし、このヘッドは記録、再生両用ヘッドであり、ＭＲ素子等の再生専用の素子を持たないため、本発明が解決しようとしている再生素子と主磁極との間の間隔が離れていることに起因する問題の所在、あるいは再生素子と主磁極との間隔を狭める具体的方法については何も示唆しない。
【００１１】
本発明は、このような従来技術の問題点に鑑み、従来の垂直磁気記録用薄膜単磁極ヘッドよりもフォーマット効率が高く、サーボが容易な垂直磁気記録用薄膜単磁極ヘッド及びその磁気ヘッドを使用した磁気ディスク装置を提供することを目的とする。本発明は、また、記録後消去に代表されるようなリターン磁束による媒体上の記録パターンの撹乱が生じにくい垂直磁気記録用薄膜単磁極ヘッド及びその磁気ヘッドを使用した磁気ディスク装置を提供することを目的とする。本発明は、更に、プロセス時間短縮可能な構造を持つ垂直磁気記録用薄膜単磁極ヘッド及びその磁気ヘッドを使用した磁気ディスク装置を提供することを目的とする。
【００１２】
【課題を解決するための手段】
本発明では、再生用ヘッドと記録用ヘッドからなる記録再生分離型の垂直磁気記録用薄膜単磁極ヘッドにおいて、記録媒体対向面からみたときに再生用ヘッドの再生素子と記録用ヘッドの主磁極との間に補助磁極を配置しない構造とすることにより上記目的を達成する。
【００１３】
媒体対向面からみたとき、本発明の目的にかなう主磁極と補助磁極の配置例として、図２〜６に示すような各種の配置を考えることができる。図２〜６において、垂直磁気記録用薄膜単磁極ヘッドは、基板１３上に形成された一対のシールド層１０，１２とその間に形成された再生素子１１からなる再生用ヘッドの上に形成される。
【００１４】
まず、図２に示すように、主磁極１と磁気的に接続された１つの補助磁極９が、主磁極１に対しトレーリング方向１４と直交する方向に配置された場合が考えられる。第二に、図３に示すように、主磁極１と磁気的に接続された補助磁極の数が２であり、２つの補助磁極９，１７が主磁極１を挟んでトレーリング方向１４と直交する方向に配置された場合が考えられる。また、図４に示すように、主磁極１と磁気的に接続された補助磁極の数が３であり、第一の補助磁極９と第二の補助磁極１７の再生ヘッドに近い側の面が、トレーリング方向１４に略直交する同一直線１５の上にあるように配置され、第三の補助磁極１８の中心と主磁極１の中心を結ぶ直線１９がトレーリング方向１４に対し略平行方向になるように配置され、かつ第三の補助磁極１８の面積が第一並びに第二の補助磁極９，１７の面積よりも広くなっている場合が考えられる。
【００１５】
図２〜４において、媒体対向面からみた場合の主磁極及び補助磁極の配置として、主磁極の再生ヘッドに近い側の面と補助磁極の再生ヘッドに近い側の面が同一直線１５の上にあるようにしたが、配置方法としてはこれら以外にも可能である。例えば、図５に示すように媒体対向面からみたときに、主磁極の中心と補助磁極の中心を結ぶ直線２０がトレーリング方向１４と略直交するように配置することも可能である。また、２つ以上の補助磁極が存在するとき、図６に示すように、それぞれの補助磁極における再生ヘッドに近い側の面同士がトレーリング方向１４に対し直交方向の同一直線１５の上にあり、かつ主磁極１における再生ヘッドに近い側の面が上記直線１５と同一直線上にない配置も可能である。図６の配置の場合、再生素子１１から主磁極１の上面までの距離が再生素子１１から補助磁極９，１７までの距離より小さくなっている。尚、主磁極と補助磁極の配置、並びに補助磁極の数に関しては、上述以外の場合も可能である。
【００１６】
主磁極と補助磁極が図２〜６に示される配置のとき、再生ヘッドを構成する再生素子１１の中心と主磁極１の中心を結ぶ直線をトレーリング方向１４へ射影したときの長さを５μｍ以下、できれば３μｍ以下とすることが望ましい。このように主磁極と再生ヘッドの間隔をなるべく近接させることにより、記録トラックのフォーマット効率を向上させ、またサーボを容易にすることが可能となる。
【００１７】
図２〜６に示した主磁極と補助磁極の配置は、記録媒体対向面からみたときに、再生素子と記録用ヘッドの主磁極との間に補助磁極が存在しない配置を代表するものである。このように主磁極と補助磁極が配置されるとき、主磁極によって記録パターンが形成される記録トラックとは別のトラックの上に補助磁極が存在するように補助磁極を配置することが可能である。すなわち、主磁極と補助磁極との間隔ｄは、媒体上の記録トラック幅よりも広くなるように形成することが可能である。主磁極と補助磁極との間隔ｄは、記録トラック幅よりも広くなるように０．５μｍから１μｍの範囲に設定することが望ましい。ただし、この間隔よりも短く、もしくは長く設定することも可能である。このように主磁極と補助磁極との間隔ｄを記録トラック幅よりも広くした場合、図７示したように、主磁極１から漏洩した磁束２１は媒体２２の記録層２３を膜厚方向すなわち媒体面に対し垂直に磁化して、軟磁性下地層２４を経由し、主磁極直下の記録トラック２５とは異なる別の記録トラック２６上に形成された補助磁極９に返ってくるため、記録後消去などに代表されるようなリターン磁束による記録パターンの撹乱が生じる可能性が低くなる。更に補助磁極の数を２以上に増加させれば、補助磁極が１つの場合に比べて補助磁極に返ってくる磁束密度を低下させることができるので、記録後消去などに代表される記録パターンの撹乱現象の更なる防止が可能となる。
【００１８】
図２〜４に示したように、媒体対向面からみたとき、主磁極１の再生ヘッドに近い側の面と補助磁極９（１７）の再生ヘッドに近い側の面が同一直線１５上にあるように各磁極を配置するとき、主磁極と補助磁極は同一の平坦化膜兼磁気的分離膜の上に形成することが可能である。平坦化膜兼磁気的分離膜としては、アルミナまたは二酸化シリコンまたはこれらの混合膜を使用することができる。平坦化膜兼磁気的分離膜のトレーリング方向の膜厚は、０．５μｍから１μｍ程度あれば良い。このように、同一の平坦化膜兼磁気的分離膜上に主磁極と補助磁極を形成することで、記録ヘッドの作製プロセスの工程数を低減することができ、結果としてプロセス時間を短縮することが可能となる。
【００１９】
主磁極と補助磁極の配置が図４のとき、記録媒体対向面からみたときに、第三の補助磁極１８を第一、第二の補助磁極９，１７並びに主磁極１の上に形成し、第三の補助磁極１８は記録ヘッドに対するアンテナ効果防止用のシールドとしての機能も合わせ持つことができる。アンテナ効果とは垂直記録に特有の問題であり、記録ヘッドが記録動作をしていないときハードディスク筐体内外の磁場発生源から出た磁束が主磁極、補助磁極に入り、結果として媒体上の記録パターンを撹乱する現象である。アンテナ効果は一種の記録後消去と考えることもできる。図４に示したように、主磁極のまわりにシールドを兼ねるような面積の広い補助磁極を配置することにより、上記のアンテナ効果を回避することが可能となる。
【００２０】
図２のように主磁極と補助磁極を配置した場合、主磁極の励磁用コイルは図８に示したように形成することが可能である。つまり、主磁極１に接続した磁性膜の柱２７を記録媒体対向面に平行になるように形成し、これを取り囲むように励磁用コイル３を形成する。この形状は、主磁極１の媒体対向面における先端に近い位置に励磁用コイル３を配置することが可能であるため、記録磁界強度を強くすることが可能になる。なお、図２以外の主磁極と補助磁極の配置であっても、主磁極と磁気的に接続されかつ記録媒体対向面に平行に形成された磁性膜の柱を囲むように、励磁用コイルを形成することが可能である。また、図８に示した以外のコイルの配置も可能である。
【００２１】
図２に示したように垂直記録ヘッドを構成した場合、再生用ヘッドとして、外部磁界の変化に対応して電気抵抗が変化する磁気抵抗効果素子を用いることが可能である。この場合、巨大磁気抵抗効果を利用した巨大磁気抵抗効果素子またはトンネル磁気抵抗効果を用いたトンネル磁気抵抗効果素子を使用することが好ましい。ただし、上記以外の磁気抵抗効果素子の使用も可能である。
【００２２】
図１１は、図５のように主磁極と補助磁極を配置した場合の、主磁極の励磁用コイルの形成例を示す図である。このコイル配置は基本的に図８のコイル配置と同じである。ただし、主磁極１と上部シールド１０との間の磁気的分離膜は、補助磁極９と上部シールド１０との間の磁気的分離膜より厚い。
【００２３】
図１２は、図６のように主磁極と補助磁極を配置した場合の、主磁極の励磁用コイルの形成例を示す図である。主磁極１は補助磁極９，１７より上部シールド１０に近い位置に形成されている。各磁極１，９，１７に記録媒体対向面に平行な磁性膜の柱を接続し、３本の柱を上部で接続することで主磁極と第一及び第二の補助磁極を磁気的に結合し、主磁極１に接続した磁性膜の柱２７取り囲むように励磁用コイル３を形成した。
【００２４】
以上をまとめると、本発明による磁気ヘッドは、一対の磁気シールド層とその間に形成された再生素子とを備える再生用ヘッドと、記録媒体対向面で磁気ギャップを介して対向し内部で接続した軟磁性薄膜からなる主磁極及び補助磁極と当該主磁極及び補助磁極によって形成される磁気回路に磁気的に結合したコイルとを備える垂直磁気記録用ヘッドとを含む磁気ヘッドにおいて、補助磁極は、記録媒体対向面からみたとき、再生素子と主磁極との間を除く領域に配置されていることを特徴とする。
記録媒体対向面からみたとき、再生素子の中心と主磁極の中心とを結ぶ直線をトレーリング方向へ射影したときの長さは５μｍ以下であることが好ましい。この長さが５μｍを越えるようになるとサーボが困難になる。
【００２５】
本発明の一態様による磁気ヘッドは、１又は複数の補助磁極を備え、記録媒体対向面からみたとき、少なくとも１つの補助磁極と主磁極の中心とを結ぶ直線がトレーリング方向と非平行である。
本発明の他の態様による磁気ヘッドは、１又は複数の補助磁極を備え、主磁極が対向する記録媒体の記録トラックとは異なる記録トラックに少なくとも１つの補助磁極の一部分又は全部が対向するように主磁極と補助磁極とが配置されている。
【００２６】
本発明の更に他の態様による磁気ヘッドは、第一、第二及び第三の補助磁極を備え、記録媒体対向面からみたときに、第一の補助磁極の中心と第二の補助磁極の中心を結ぶ直線がトレーリング方向に略直交し、第三の補助磁極の中心と主磁極の中心を結ぶ直線がトレーリング方向に対して略平行であり、第三の補助磁極の面積が第一又は第二の補助磁極の面積よりも広い。
【００２７】
本発明による磁気ディスク装置は、磁気ディスクと、磁気ディスクを駆動するディスク駆動手段と、再生用ヘッドと記録用ヘッドを備える磁気ヘッドと、磁気ヘッドを磁気ディスクに対して位置決めするための手段とを含む磁気ディスク装置において、磁気ディスクは記録層と軟磁性層とを備える垂直磁気記録用の磁気ディスクであり、磁気ヘッドとして前述の磁気ヘッドを備えることを特徴とする。
【００２８】
【発明の実施の形態】
以下、図面を参照して本発明の実施の形態を説明する。ただし、本発明はこれらの実施の形態によって何ら限定されるものではない。以下の図において、同じ機能部分には同一の符号を付し、重複する説明を省略する。
【００２９】
図１３は、本発明による磁気ディスク装置の一例を示す全体斜視図である。この磁気ディスク装置は、磁気ディスク３１、磁気ディスクを回転駆動するモータ３０、記録再生用の磁気ヘッド３２、磁気ヘッドを支持するサスペンジョン３３、アクチュエータ３４、ボイスコイルモータ３５、記録再生回路３６、位置決め回路３７、インターフェース制御回路３８などで構成される。磁気ディスク３１は垂直磁気記録用の２層記録媒体からなり、保護膜上には潤滑膜が被覆されている。
【００３０】
〔実施形態１〕
図２は、本発明の実施形態１の磁気ヘッドを媒体対向面から見た図である。図２において、アルミナチタンカーバイト基板上１３に形成された再生ヘッドの上部シールド１０（膜厚２μｍ）の上に、アルミナ平坦化膜を１μｍの膜厚でスパッタ法により製膜した。この平坦化膜上にレジスト膜を形成し、フォトリソグラフィで主磁極形成を目的としためっき用のフレームを形成した。次に、パーマロイまたはコバルト・ニッケル・鉄を主成分とする合金からなる主磁極をめっき法により形成した。形成された主磁極１は、媒体対向面からみたとき、トラック幅方向の長さが０．２μｍ、トレーリング方向の高さが０．２μｍであった。このとき、主磁極１と再生素子１１との中心を結ぶ直線がトレーリング方向１４に対し略平行となるように、主磁極を配置した。主磁極１と再生素子１１との間隔は約３μｍであった。
【００３１】
次に、主磁極１が形成されたアルミナ平坦化膜の上に、主磁極１から１μｍ離れた場所に補助磁極９を形成する目的で、めっき用のフレームをフォトリソグラフィで形成し、めっき法により補助磁極９を作成した。補助磁極の組成は主磁極と同じとした。媒体対向面からみた補助磁極９はトラック幅方向の長さが２μｍ、トレーリング方向の高さが２μｍであった。また、主磁極１と補助磁極９は図８に代表されるように磁気的に接合されている構造とした。
【００３２】
上記のプロセスで作成された垂直磁気記録用薄膜単磁極ヘッドを記録ヘッドとし、再生ヘッドとしてＧＭＲ素子を用いた記録再生分離型ヘッドと２層垂直記録媒体とを組み合わせて図１３に略示した磁気ディスク装置を組み立て、フォーマット効率並びにサーボ特性を調べた。その結果、図１に示すような従来型の垂直磁気記録用薄膜単磁極ヘッドと比較して、フォーマット効率が４％向上し、サーボ特性も良好であることがわかった。
【００３３】
〔実施形態２〕
図３に示すように、実施形態１で作成した補助磁極９に加え、主磁極１をはさんだ反対側に第二の補助磁極１７を、第一の補助磁極９と同様にして形成した。このとき、第二の補助磁極１７の大きさ並びに主磁極１からの距離は、第一の補助磁極９と同じとした。主磁極１と第一及び第二の補助磁極９，１７は、図９に略示するように、各磁極１，９，１７に記録媒体対向面に平行な磁性膜の柱を接続し、３本の柱を上部で接続することで主磁極と第一及び第二の補助磁極を磁気的に結合し、主磁極１に接続した磁性膜の柱２７取り囲むように励磁用コイル３を形成した。
【００３４】
この垂直磁気記録用薄膜単磁極ヘッドを記録ヘッドとし、再生ヘッドとしてＧＭＲ素子を用いた記録再生分離型ヘッドを試作し、このヘッドと２層垂直記録媒体とを組み合わせて図５に略示した磁気ディスク装置を組み立て、フォーマット効率並びにサーボ特性を調べた。その結果、図１に示すような従来型の垂直磁気記録用薄膜単磁極ヘッドと比較して、フォーマット効率が４％向上し、サーボ特性も良好であることがわかった。
【００３５】
更に、試作したヘッドの再生出力特性の記録電流強度依存性並びに記録周波数依存性を調べた。その結果、本実施形態で試作したヘッドは、図１に示すような従来型の垂直磁気記録用薄膜単磁極ヘッドと比較して、記録後消去に代表されるようなリターン磁束による記録パターンの撹乱現象が測定されにくかった。
【００３６】
〔実施形態３〕
図４に示すように、媒体対向面からみて、３つの補助磁極９，１７，１８を主磁極１を取り囲むように配置した。このとき、第一の補助磁極９、第二の補助磁極１７と主磁極１は同一平坦化膜上に作成した。補助磁極９，１７と主磁極１の大きさ並びに間隔は、実施形態２と同じにした。また、第三の補助磁極１８の中心と主磁極１の中心と再生素子１１の中心が、トレーリング方向１４と略平行な同一直線上に位置するように配置した。媒体対向面からみた第三の補助磁極１８は、トラック幅方向の長さが６μｍ、トレーリング方向の高さが２μｍであった。主磁極１と第一、第二及び第三の補助磁極９，１７，１８の接続は、図１０に略示するようにして行った。すなわち、主磁極１と第一及び第二の補助磁極９，１７に記録媒体対向面に平行な磁性膜の柱をそれぞれ接続し、３本の柱の上部に第三の補助磁極１８を接続することで主磁極と第一、第二、第三の補助磁極を磁気的に結合し、主磁極１に接続した磁性膜の柱取り囲むように励磁用コイル３を形成した。
【００３７】
実施形態３の垂直磁気記録用薄膜単磁極ヘッドを記録ヘッドとし再生ヘッドとしてＧＭＲ素子を用いた記録再生分離型ヘッドを試作し、このヘッドと２層垂直記録媒体とを組み合わせて図１３に略示した磁気ディスク装置を組み立て、フォーマット効率並びにサーボ特性を調べた。その結果、図１に示すような従来型の垂直磁気記録用薄膜単磁極ヘッドと比較して、フォーマット効率が４％向上し、サーボ特性も良好であることがわかった。また、試作したヘッドの再生出力特性の記録電流強度依存性並びに記録周波数依存性を調べた結果、図１に示すような従来型の垂直磁気記録用薄膜単磁極ヘッドと比較して、記録後消去に代表されるようなリターン磁束による記録パターンの撹乱現象が測定されにくかった。
【００３８】
更に、本実施形態で試作したヘッドと２層垂直記録媒体を組み合わせ、再生出力特性の外部磁場強度依存性を測定した。この測定は、記録媒体上の所定のトラックに既に記録パターンを形成しておき、外部磁場を所定の方向に印加して、再生信号強度の変化を調べるものである。このとき、磁界強度として０〜４０００Ａ／ｍ（約０〜５０Ｏｅ）、磁界印加方向としてトレーリング方向１４並びにトラック幅方向と直交する素子高さ方向を選択した。外部磁界強度が０Ａ／ｍの時の再生信号強度を１としたとき、外部磁界強度を４０００Ａ／ｍにした場合の再生信号強度は従来型の垂直磁気記録用薄膜単磁極ヘッドで０．６〜０．７であったのに対して、実施形態３で試作したヘッドにおいては０．９程度となった。この結果、実施形態３で試作したヘッドは、図１に示すような従来型の垂直磁気記録用薄膜単磁極ヘッドと比較して、アンテナ効果が生じにくいことが判明した。
【００３９】
【発明の効果】
本発明によれば、従来の垂直磁気記録用薄膜端磁極ヘッドよりもフォーマット効率が高く、サーボが容易な垂直磁気記録用薄膜単磁極ヘッドが得られる。
【図面の簡単な説明】
【図１】従来の垂直磁気記録用記録再生分離型薄膜ヘッドの概略図。
【図２】本発明による磁気ヘッドの主磁極と補助磁極の配置例を示す概略図。
【図３】本発明による磁気ヘッドの主磁極と補助磁極の配置例を示す概略図。
【図４】本発明による磁気ヘッドの主磁極と補助磁極の配置例を示す概略図。
【図５】本発明による磁気ヘッドの主磁極と補助磁極の配置例を示す概略図。
【図６】本発明による磁気ヘッドの主磁極と補助磁極の配置例を示す概略図。
【図７】主磁極から漏洩した磁束が記録媒体を経て補助磁極へ入る磁路の概略を示す図。
【図８】図２の配置に対する励磁用コイルの形成例を示す図。
【図９】図３の配置に対する励磁用コイルの形成例を示す図。
【図１０】図４の配置に対する励磁用コイルの形成例を示す図。
【図１１】図５の配置に対する励磁用コイルの形成例を示す図。
【図１２】図６の配置に対する励磁用コイルの形成例を示す図。
【図１３】本発明による磁気ディスク装置の概略図。
【符号の説明】
１    主磁極
２    補助磁極（上部シールドを兼ねる）
３    導体コイル
４    絶縁膜
５    磁気抵抗効果膜
６    磁区制御膜
７    電極
８    下部シールド層
９    第一補助磁極
１０  上部シールド
１１  再生素子
１２  下部シールド
１３  基板
１４  トレーリング方向
１５  直線１
１７  第二補助磁極
１８  第三補助磁極
２１  主磁極からでた磁束
２２  記録媒体
２３  記録層
２４  軟磁性下地層
２５  主磁極直下の記録トラック
２６  ２５とは異なる記録トラック
２７  柱
３０  モータ
３１  磁気ディスク
３２  磁気ヘッド
３３  サスペンジョン
３４  アクチュエータ
３５  ボイスコイルモータ
３６  記録再生回路
３７  位置決め回路
３８  インターフェース制御回路
ｄ  主磁極と補助磁極との間隔
【図１】
0004673508.tif 000002
【図２】
0004673508.tif 000003
【図３】
0004673508.tif 000004
【図４】
0004673508.tif 000005
【図５】
0004673508.tif 000006
【図６】
0004673508.tif 000007
【図７】
0004673508.tif 000008
【図８】
0004673508.tif 000009
【図９】
0004673508.tif 000010
【図１０】
0004673508.tif 000011
【図１１】
0004673508.tif 000012
【図１２】
0004673508.tif 000013
【図１３】
0004673508.tif 000014